(57)【特許請求の範囲】
【請求項１】
底部と、相対する一方の側壁と、相対するもう一方の側壁とを有する容器本体と、
前記もう一方の側壁に沿って、前記容器本体内に並列状態で配設される複数の中仕切り部材と、
前記相対する一方の側壁に隣接して配置される中仕切り固定部材と
を備えた中仕切り容器であって、
前記容器本体は、前記相対する一方の側壁に沿って形成され、前記中仕切り部材を配設するための中仕切り保持部材を具備し、
前記中仕切り保持部材は、前記相対する一方の側壁の内壁面に形成された端部中仕切り保持部材を備え、
前記中仕切り部材の両端縁には、外側に延在する水平載置フランジが設けられ、前記中仕切り部材の配設状態においては、前記水平載置フランジが、前記端部中仕切り保持部材の上面に載置されるように構成されているとともに、その上方の挿入空間に、前記中仕切り固定部材が挿入されるように構成され、
前記中仕切り固定部材には、一方の側面側に突出する係止爪が設けられた係止爪用弾性片が複数設けられているとともに、上方において他方の側面側に突出する押圧爪が設けられた上方押圧用弾性片と、下方において他方の側面側に突出する押圧爪が設けられた下方押圧用弾性片とが設けられており、
前記中仕切り固定部材の配設状態においては、
前記係止爪用弾性片が、前記容器本体の一方の側壁に形成された係止部に係止されるように構成されるとともに、
前記下方押圧用弾性片及び前記上方押圧用弾性片が、配設状態にある前記中仕切り部材を、前記下方押圧用弾性片及び前記上方押圧用弾性片の互いに前記容器本体の内側方向に向かう弾性力により、前記中仕切り部材を挟むように把持するよう構成されることを特徴とする中仕切り容器。
【請求項２】
前記中仕切り部材と平行に、前記相対するもう一方の側壁のうち一方の側壁に隣接して配置されるスペーサーを備え、当該スペーサーは、前記底部に対して略垂直な面一な内側側面を有することを特徴とする請求項１に記載の中仕切り容器。
【請求項３】
前記中仕切り保持部材は、前記端部中仕切り保持部材の間に、当該端部中仕切り保持部材と平行に、且つ、所定の間隔で形成された複数の中間中仕切り保持部材を備えることを特徴とする請求項１又は２に記載の中仕切り容器。
【発明の詳細な説明】
【技術分野】
【０００１】
本発明は、中仕切りにより、種々の形状を有する物品が収容される空間が形成されている中仕切り容器に関するものである。
【背景技術】
【０００２】
一方の中仕切り部材の側部に形成された嵌合凹部に、隣接されるもう一方の中仕切り部材の側部に形成された突起を嵌合するようにして、順次、中仕切り部材を連結し、その後、多数、連結された中仕切り部材を纏めて、容器に収容するようにした中仕切り容器が、特許文献１に開示されている。
【先行技術文献】
【特許文献】
【０００３】
【特許文献１】特開２００１−１３９０３３
【発明の開示】
【発明が解決しようとする課題】
【０００５】
従来の中仕切り容器においては、連結された中仕切り部材や中仕切り部材と中仕切り容器の容器本体とのガタツキが大きく、中仕切り容器の搬送中に、中仕切り容器の収容スペースに収容された物品が移動し、物品が損傷するという問題があった。
【０００６】
更に、従来の中仕切り容器においては、中仕切り容器の本体と中仕切り部材との係止が、確実に行われないという問題があった。
【０００７】
本発明の目的は、上述した従来の発明が有する課題を解決することにある。
【課題を解決するための手段】
【０００８】
本発明は、上述した目的を達成するために、底部と、相対する一方の側壁と、相対するもう一方の側壁とを有する容器本体と、
前記もう一方の側壁に沿って、前記容器本体内に並列状態で配設される複数の中仕切り部材と、
前記相対する一方の側壁に隣接して配置される中仕切り固定部材と
を備えた中仕切り容器であって、
前記容器本体は、前記相対する一方の側壁に沿って形成され、前記中仕切り部材を配設するための中仕切り保持部材を具備し、
前記中仕切り保持部材は、前記相対する一方の側壁の内壁面に形成された端部中仕切り保持部材を備え、
前記中仕切り部材の両端縁には、外側に延在する水平載置フランジが設けられ、前記中仕切り部材の配設状態においては、前記水平載置フランジが、前記端部中仕切り保持部材の上面に載置されるように構成されているとともに、その上方の挿入空間に、前記中仕切り固定部材が挿入されるように構成され、
前記中仕切り固定部材には、一方の側面側に突出する係止爪が設けられた係止爪用弾性片が複数設けられているとともに、上方において他方の側面側に突出する押圧爪が設けられた上方押圧用弾性片と、下方において他方の側面側に突出する押圧爪が設けられた下方押圧用弾性片とが設けられており、
前記中仕切り固定部材の配設状態においては、
前記係止爪用弾性片が、前記容器本体の一方の側壁に形成された係止部に係止されるように構成されるとともに、
前記下方押圧用弾性片及び前記上方押圧用弾性片が、配設状態にある前記中仕切り部材を、前記下方押圧用弾性片及び前記上方押圧用弾性片の互いに前記容器本体の内側方向に向かう弾性力により、前記中仕切り部材を挟むように把持するよう構成されるものである。
また、前記中仕切り部材と平行に、前記相対するもう一方の側壁のうち一方の側壁に隣接して配置されるスペーサーを備え、当該スペーサーは、前記底部に対して略垂直な面一な内側側面を有することとしてもよい。
また、前記中仕切り保持部材は、前記端部中仕切り保持部材の間に、当該端部中仕切り保持部材と平行に、且つ、所定の間隔で形成された複数の中間中仕切り保持部材を備えることとしてもよい。
【発明の効果】
【００１０】
容器本体に収容された中仕切り部材の容器本体からの抜け出し防止を、簡単に、且つ、迅速に行なうことができる。
【００１１】
中仕切り容器内に収容される物品を、移動や傾動しないように、安定的に収容することができる。
【００１２】
スペーサーが収容される容器本体の側壁と相対する側壁に連接された端部中仕切り保持部材及び中間中仕切り保持部材の最終リブに、垂直面を形成したので、容器本体に収容された中仕切り部材が傾動するようなことがなく、従って、中仕切り容器内に収容される物品を、移動や傾動しないように、安定的に収容することができる。
【図面の簡単な説明】
【００１３】
【図１】図１は、本発明の中仕切り容器の斜視図である。
【図２】図２は、本発明の中仕切り容器を構成する容器本体の斜視図である。
【図３】図３は、本発明の中仕切り容器の裏面斜視図である。
【図４】図４は、本発明の中仕切り容器を構成する容器本体の部分拡大斜視図である。
【図５】図５は、同じく、本発明の中仕切り容器を構成する容器本体の部分拡大斜視図である。
【図６】図６は、同じく、本発明の中仕切り容器を構成する容器本体の一部断面を含む部分拡大斜視図である。
【図７】図７は、本発明の中仕切り容器を構成するスペーサーの斜視図である。
【図８】図８は、同じく、本発明の中仕切り容器を構成するスペーサーの斜視図である。
【図９】図９は、本発明の中仕切り容器を構成する中仕切り部材の斜視図である。
【図１０】図１０は、同じく、本発明の中仕切り容器を構成する中仕切り部材の斜視図である。
【図１１】図１１は、本発明の中仕切り容器を構成する中仕切り部材の部分拡大斜視図である。
【図１２】図１２は、本発明の中仕切り容器を構成する中仕切り固定部材の斜視図である。
【図１３】図１３は、本発明の中仕切り容器を構成する中仕切り固定部材の部分拡大斜視図である。
【図１４】図１４は、図１２と同様の本発明の中仕切り容器を構成する中仕切り固定部材の斜視図である。
【図１５】図１５は、図１３と同様の本発明の中仕切り容器を構成する中仕切り固定部材の部分拡大斜視図である。
【図１６】図１６は、本発明の中仕切り容器の容器本体へのスペーサーの収容状態を示す部分拡大斜視図である。
【図１７】図１７は、本発明の中仕切り容器の容器本体への中仕切り部材の収容状態を示す部分拡大斜視図である。
【図１８】図１８は、本発明の中仕切り容器の容器本体への中仕切り固定部材の収容状態を示す部分拡大斜視図である。
【図１９】図１９は、本発明の中仕切り容器の容器本体の部分拡大斜視図である。
【実施例】
【００１４】
本発明の中仕切り容器Ｃは、図１〜図３に示されているように、底部１ａと、相対する一方の側壁１ｂと、相対するもう一方の側壁１ｃと、中仕切り部材Ｐを配設するための相対する一方の側壁１ｂに沿って形成された中仕切り保持部材１ｄとからなる容器本体Ｃ１と、容器本体Ｃ１のもう一方の側壁１ｃに沿って、容器本体Ｃ１内に配設される中仕切り部材Ｐと、中仕切り部材Ｐと平行に、相対するもう一方の側壁１ｃの一方の側壁１ｃに隣接して配置されたスペーサーＳと、相対する一方の側壁１ｂに隣接して配置された中仕切り固定部材Ｅとから構成されている。
【００１５】
次に、図２〜図６を用いて、一体に成形された容器本体Ｃ１について説明する。
【００１６】
容器本体Ｃ１に成形された中仕切り保持部材１ｄは、相対する一方の側壁１ｂの内壁面１ｂ１に形成された端部中仕切り保持部材１ｄ１と、端部中仕切り保持部材１ｄ１の間に、端部中仕切り保持部材１ｄ１と平行に、且つ、所定の間隔で形成された複数の中間中仕切り保持部材１ｄ２とから構成されている。
【００１７】
端部中仕切り保持部材１ｄ１の一方の端部には、後述するスペーサーＳが装着されるスペーサー収容部１ｅが形成されている。スペーサー収容部１ｅは、中仕切り保持部材１ｄに垂直な側壁１ｃの内壁面１ｃ１から、所定の間隔を置いて、端部中仕切り保持部材１ｄ１に形成された隣接する一対の縦リブ１ｅ１を有しており、一対の縦リブ１ｅ１間には、後述するスペーサーＳの板状本体ｓ１の両端部の垂直辺部が挿入される幅狭の板状本体挿入縦長溝１ｅ２が形成されており、また、一対の縦リブ１ｅ１のうち、もう一方の側壁１ｃ側に位置する縦リブ１ｅ１と、中仕切り保持部材１ｄに垂直なもう一方の側壁１ｃとの間には、スペーサーＳが挿入される幅広のスペーサー挿入縦長凹部１ｅ３が形成されている。
【００１８】
スペーサー収容部１ｅに隣接して、端部中仕切り保持部材１ｄ１には、後述する中仕切り部材Ｐが装着される、スペーサー収容部１ｅと同一構成を有する複数の中仕切り収容部１ｆが形成されている。中仕切り収容部１ｆは、端部中仕切り保持部材１ｄ１に形成された隣接する一対の縦リブ１ｆ１を有しており、一対の縦リブ１ｆ１間には、後述する中仕切り部材Ｐの板状本体ｐ１の両端部の垂直辺部ｐ１ｃが挿入される幅狭の板状本体挿入縦長溝１ｆ２が形成されており、また、縦リブ１ｆ１のスペーサー収容部１ｅ側に位置する縦リブ１ｆ１と、相対するスペーサー収容部１ｅの縦リブ１ｅ１との間には、中仕切り部材Ｐが挿入される幅広の中仕切り挿入縦長凹部１ｆ３が形成されている。
【００１９】
上述した、間に、幅狭の板状本体挿入縦長溝１ｆ２が形成されている一対の縦リブ１ｆ１と、該一対の縦リブ１ｆ１に隣接して形成された幅広の中仕切り挿入縦長凹部１ｆ３とから構成されている中仕切り収容部１ｆは、相対するもう一方の側壁１ｃのもう一方の側壁１ｃまで延在している。もう一方の側壁１ｃまで延在している最後の中仕切り収容部（以下、最終中仕切り収容部と称する。）１ｆを形成する、もう一方の側壁１ｃ側の縦リブ１ｆ１を、以下、最終縦リブ１ｆ１と称する。
【００２０】
容器本体Ｃ１を、射出成形等により一体成形した場合には、容器本体Ｃ１の側壁１ｂ、１ｃは、金型の抜き勾配のために、底部１ａから上方に向かって、外側に傾斜している。従って、最終中仕切り収容部１ｆを構成する最終縦リブ１ｆ１と該最終縦リブ１ｆ１と対向する縦リブ１ｆ１と間に形成された幅狭の板状本体挿入縦長溝１ｆ２に挿入される中仕切り部材Ｐの板状本体ｐ１の両端部の垂直辺部ｐ１ｃは、もう一方の側壁１ｃ側に傾斜して、中仕切り部材Ｐの垂直維持が保てないということになる。この課題を解決するために、金型の抜き勾配により外側に傾斜したもう一方の側壁１ｃの内壁面１ｃ１の傾斜を修正し、図５に示されているように、最終縦リブ１ｆ１の対向する縦リブ１ｆ１側の面１ｆ１’が垂直面を形成するように、最終縦リブ１ｆ１が、底部１ａから上方に向かって、徐々に、その厚みを増すように構成されている。
【００２１】
中仕切り保持部材１ｄを構成する中間中仕切り保持部材１ｄ２は、相対するもう一方の側壁１ｃを架橋するように、容器本体Ｃ１に成形されている。上述したように、端部中仕切り保持部材１ｄ１には、容器本体Ｃ１の内側の面に、スペーサー収容部１ｅ及び中仕切り収容部１ｆが形成されているが、中間中仕切り保持部材１ｄ２の場合には、図４及び図５に示されているように、中間中仕切り保持部材１ｄ２の板状本体１ｄ２’の両面に、スペーサー収容部１ｅ及び中仕切り収容部１ｆが形成されている点で相違するだけで、スペーサー収容部１ｅ及び中仕切り収容部１ｆの構成は同一であるので、中間中仕切り保持部材１ｄ２の詳細な説明は省略する。
【００２２】
上述した中仕切り保持部材１ｄを構成する端部中仕切り保持部材１ｄ１と中間中仕切り保持部材１ｄ２の上面は、共に、同じ高さに形成されており、且つ、容器本体Ｃ１の側壁１ｂ、１ｃの上面より低く形成されている。
【００２３】
次に、図７及び図８を用いて、上述した容器本体Ｃ１に形成されたスペーサー収容部１ｅに収容されるスペーサーＳについて説明する。
【００２４】
スペーサーＳは、横長の板状本体ｓ１を有しており、板状本体ｓ１の一方の側面（スペーサーＳが、容器本体Ｃ１のスペーサー収容部１ｅに収容された際に、容器本体Ｃ１の内側に位置し、容器本体Ｃ１のもう一方の側壁１ｃの内壁面１ｃ１に対して、反対側に位置する側面（以下、内側側面と称する。））ｓ１ａ’は、面一な垂直平面に形成されている。また、板状本体ｓ１の上端には、板状本体ｓ１に対して垂直で、且つ、水平方向に延在する上端水平フランジｓ１ｂが形成されている。更に、板状本体ｓ１の相対する垂直端ｓ１ｃと上端水平フランジｓ１ｂとにより形成される上端角部には、上端水平フランジｓ１ｂの両端から、上端水平フランジｓ１ｂに対して垂直で、且つ、板状本体ｓ１の垂直端ｓ１ｃの上部に形成された上部垂直フランジｓ１ｄが垂下されている。なお更に、上部垂直フランジｓ１ｄの下端には、上部垂直フランジｓ１ｄに対して垂直で、且つ、外側に延在する水平載置フランジｓ１ｅが形成されている。
【００２５】
スペーサーＳを、容器本体Ｃ１のスペーサー収容部１ｅに収容する際に、容器本体Ｃ１に形成された中間中仕切り保持部材１ｄ２が、スペーサーＳの板状本体ｓ１が当接しないように、板状本体ｓ１には、板状本体ｓ１の下端ｓ１ｆから垂直に上方に延在する中間中仕切り保持部材１ｄ２が挿入される、中間中仕切り保持部材１ｄ２に対応してスリットｓ１ｇが形成されている。本実施例においては、容器本体Ｃ１内には、７枚の中間中仕切り保持部材１ｄ２が形成されているので、スペーサーＳの板状本体ｓ１には、７つのスリットｓ１ｇが形成されている。なお、スリットｓ１ｇの縦方向の縁部には、スリットｓ１ｇの両側に位置する板状本体ｓ１の強度や剛性を高めるために、スペーサーＳを、容器本体Ｃ１のスペーサー収容部１ｅに収容した際に、容器本体Ｃ１のもう一方の側壁１ｃの内壁面１ｃ１に当接しないような周縁リブｓ１ｇ’を形成することが好ましい。更に、周縁リブｓ１ｇ’を形成することにより、縦リブ１ｅ１間の嵌合調整リブとしての機能を有する。
【００２６】
また、板状本体ｓ１の内側側面ｓ１ａ’の反対側に位置する側面（以下、側壁側側面という。）ｓ１ａ”には、上端水平フランジｓ１ｂの裏面から、スリットｓ１ｇに対応して、容器本体Ｃ１のもう一方の側壁１ｃの内壁面１ｃ１に当接する逆Ｔ字状の容器本体側壁当接リブｓ１ｈが形成されており、容器本体側壁当接リブｓ１ｈは、垂直リブ部ｓ１ｈ’と、垂直リブ部ｓ１ｈ’の下端から水平に延在する水平リブ部ｓ１ｈ”とから構成されており、水平リブ部ｓ１ｈ”は、スリットｓ１ｇの略上端まで達している。スペーサーＳを、容器本体Ｃ１のスペーサー収容部１ｅに収容した際には、逆Ｔ字状の容器本体側壁当接リブｓ１ｈが、容器本体Ｃ１のもう一方の側壁１ｃの内壁面１ｃ１に当接し、スペーサーＳのもう一方の側壁１ｃの内壁面１ｃ１方向への移動や傾動を抑制することができる。なお、ｓ１ｉは、側壁側側面ｓ１ａ”の適当個所に形成された補強用縦リブであり、必要に応じて、補強用水平リブ等を追加することができる。これら補強用縦リブｓ１ｉや補強用水平リブ等の側壁側側面ｓ１ａ”に高さは、容器本体側壁当接リブｓ１ｈより、低く形成されている。
【００２７】
中仕切り容器Ｃに収容された物品を取り出す際には、容器本体Ｃ１の底部１ａに穿設された透孔１ａ１に挿入された突き上げ杆が使用されることになるが、この突き上げ杆の物品を取り出し作業の邪魔にならないように、スペーサーＳの板状本体ｓ１には、板状本体ｓ１の下端ｓ１ｆから垂直に上方に延在する突き上げ杆挿入用スリットｓ１ｊが形成されている。スペーサーＳの板状本体ｓ１の相対する垂直端ｓ１ｃ付近に、突き上げ杆挿入用スリットｓ１ｊが形成されており、隣り合う突き上げ杆挿入用スリットｓ１ｊ間に、それぞれ、スリットｓ１ｇが形成されており、突き上げ杆挿入用スリットｓ１ｊとスリットｓ１ｇとの間隔は、同じに形成されている。なお、ｓ１ｋは、突き上げ杆挿入用スリットｓ１ｊの両側に位置するスペーサーＳの板状本体ｓ１の側壁側側面ｓ１ａ”に形成された突き上げ杆挿入用スリットｓ１ｊを架橋する架橋片であり、架橋片ｓ１ｋを形成することにより、突き上げ杆挿入用スリットｓ１ｊの両側に位置するスペーサーＳの板状本体ｓ１の強度や剛性を高めることができる。
【００２８】
スペーサーＳが、容器本体Ｃ１のスペーサー収容部１ｅに収容された際には、スペーサーＳの板状本体ｓ１の面一な内側側面ｓ１ａ’が、容器本体Ｃ１の底部１ａに対して略垂直になるように構成されており、このように構成することにより、容器本体Ｃ１に配設された後述する中仕切り部材Ｐが、傾動しないように構成されており、従って、中仕切り容器Ｃ内に収容される物品を、移動や傾動しないように、安定的に収容することができる。
【００２９】
次に、図９〜図１１を用いて、中仕切り部材Ｐについて説明する。
【００３０】
中仕切り部材Ｐは、上述したスペーサーＳと同様の横長の板状本体ｐ１を有しており、板状本体ｐ１には、板状本体ｐ１の一方の面一な垂直平面（以下、単に、垂直面一平面という。）ｐ１ａが形成されており、また、垂直面一平面ｐ１ａと反対側に位置する側面（以下、単に、垂直背面という。）ｐ１ｂが形成されている。
【００３１】
板状本体ｐ１の相対する垂直端ｐ１ｃと板状本体ｐ１の上端とにより形成される上端角部には、板状本体ｐ１に垂直で、且つ、垂直背面ｐ１ｂ方向に延在する上部垂直リブｐ１ｄが垂下されているとともに、上部垂直リブｐ１ｄの下端には、上部垂直リブｐ１ｄに対して垂直で、且つ、外側に延在する、上述したスペーサーＳに形成された水平載置フランジｓ１ｅと同様の水平載置フランジｐ１ｅが形成されている。
【００３２】
中仕切り部材Ｐの板状本体ｐ１には、上述したスペーサーＳの板状本体ｓ１と同様の中間中仕切り保持部材１ｄ２に対応して、スリットｐ１ｇが形成されている。本実施例においては、容器本体Ｃ１内には、７枚の中間中仕切り保持部材１ｄ２が形成されているので、中仕切り部材Ｐの板状本体ｐ１には、７つのスリットｐ１ｇが形成されている。なお、スリットｐ１ｇの縦方向の縁部には、スリットｐ１ｇの両側に位置する板状本体ｐ１の強度や剛性を高めるために、周縁リブｐ１ｇ’を形成することができるし、この周縁リブｐ１ｇ’は、縦リブ１ｆ１間の嵌合調整リブとしての機能を有する。
【００３３】
ｐ１ｈは、上述したスペーサーＳの板状本体ｓ１に形成された突き上げ杆挿入用スリットｓ１ｊと同様の中仕切り部材Ｐの板状本体ｐ１に形成された突き上げ杆挿入用スリットであり、また、ｐ１ｉは、上述したスペーサーＳの板状本体ｓ１に形成された突き上げ杆挿入用スリットｓ１ｊを架橋する架橋片ｓ１ｋと同様の中仕切り部材Ｐの板状本体ｐ１に形成された突き上げ杆挿入用スリットｐ１ｈを架橋する架橋片である。
【００３４】
中仕切り部材Ｐの板状本体ｐ１に形成された突き上げ杆挿入用スリットｐ１ｈとスリットｐ１ｇとの配置関係は、スペーサーＳの板状本体ｓ１に形成された突き上げ杆挿入用スリットｓ１ｊとスリットｓ１ｇの配置関係と同様に構成されている。即ち、中仕切り部材Ｐの板状本体ｐ１の相対する垂直端ｐ１ｃ付近に、突き上げ杆挿入用スリットｐ１ｈが形成されており、隣り合う突き上げ杆挿入用スリットｐ１ｈ間に、それぞれ、スリットｐ１ｇが形成されており、突き上げ杆挿入用スリットｐ１ｈとスリットｐ１ｇの間隔は、同じに形成されている。
【００３５】
中仕切り部材Ｐの板状本体ｐ１の相対する垂直端ｐ１ｃと板状本体ｐ１の上端とにより形成される上端角部に形成された上部垂直リブｐ１ｄと水平載置フランジｐ１ｅ付近には、端部区画部材ｐ２が形成されている。端部区画部材ｐ２は、上部垂直リブｐ１ｄの上端から、板状本体ｐ１の内側方向に延在する上端水平部ｐ２ａと、水平部ｐ２ａの先端から、板状本体ｐ１の内側方向で、且つ、下方に延在する傾斜部ｐ２ｂと、傾斜部ｐ２ｂの先端から、板状本体ｐ１の下端付近まで略垂直に延在する垂直部ｐ２ｃと、水平載置フランジｐ１ｅを、垂直部ｐ２ｃまで延在することにより形成された上部水平部ｐ２ｄとから構成されている。
【００３６】
中仕切り部材Ｐの板状本体ｐ１に形成された端部区画部材ｐ２間には、中間区画部材ｐ３が形成されている。中間区画部材ｐ３は、端部区画部材ｐ２の上端水平部ｐ２ａ同様の上端水平部ｐ３ａと、水平部ｐ３ａの両先端から下方に延在する、端部区画部材ｐ２の傾斜部ｐ２ｂと同様な相対する傾斜部ｐ３ｂと、傾斜部ｐ３ｂの先端から、板状本体ｐ１の下端付近まで略垂直に延在する、端部区画部材ｐ２の垂直部ｐ２ｃと同様な相対する垂直部ｐ３ｃと、相対する垂直部ｐ３ｃを架橋する、端部区画部材ｐ２の上部水平部ｐ２ｄと同様の上部水平部ｐ３ｄと、水平部ｐ３ａと上部水平部ｐ３ｄとを架橋する垂直部ｐ３ｅとから構成されている。中間区画部材ｐ３は、スリットｐ１ｇが、中間区画部材ｐ３の相対する垂直部ｐ３ｃの中央に位置するように、中仕切り部材Ｐの板状本体ｐ１の垂直背面ｐ１ｂに形成されている。
【００３７】
端部区画部材ｐ２と該端部区画部材ｐ２と相対する中間区画部材ｐ３との間、及び、相対する中間区画部材ｐ３との間には、相対する突き上げ杆挿入用スリットｐ１ｈ間を挟んで、物品位置決め部材ｐ４が形成されている。物品位置決め部材ｐ４は、上述した端部区画部材ｐ２の垂直部ｐ２ｃ及び中間区画部材ｐ３の垂直部ｐ３ｃに略平行で、且つ、上端が下方に傾斜した傾斜部ｐ４ａ’に形成された相対する垂直部ｐ４ａを有しているとともに、相対する垂直部ｐ４ａの上部を架橋する水平架橋リブｐ４ｂを有している。また、物品位置決め部材ｐ４の板状本体ｐ１の垂直背面ｐ１ｂからの高さは、端部区画部材ｐ２の板状本体ｐ１の垂直背面ｐ１ｂからの高さ及び中間区画部材ｐ３の板状本体ｐ１の垂直背面ｐ１ｂからの高さより低く形成されているとともに、物品位置決め部材ｐ４の上端は、端部区画部材ｐ２の板状本体ｐ１の上端及び中間区画部材ｐ３の上端より低く形成されている。また、物品位置決め部材ｐ４の下端は、端部区画部材ｐ２の板状本体ｐ１の下端及び中間区画部材ｐ３の下端と略同じに形成されている。
【００３８】
次に、図１２〜図１５を用いて、容器本体Ｃ１内に形成された中仕切り保持部材１ｄ、即ち、端部中仕切り保持部材１ｄ１及び中間中仕切り保持部材１ｄ２と平行な相対する一方の側壁１ｂに隣接して配置される中仕切り固定部材Ｅについて説明する。
【００３９】
中仕切り固定部材Ｅは、細長い横長の板状本体ｅ１を有している。また、板状本体ｅ１の相対する側面のうちの一方の側面（中仕切り固定部材Ｅが、容器本体Ｃ１内に収容された際に、容器本体Ｃ１の側壁１ｂに隣接する側面であり、以下に、外側側面という。）ｅ１ａの両端部には、外側側面ｅ１ａから突設する係止爪ｅ２ａが下方に形成された係止爪用弾性片（以下、端部側係止爪用弾性片という。）ｅ２’が形成されている。また、端部側係止爪用弾性片ｅ２’間には、端部側係止爪用弾性片ｅ２’と同様の適当数（本実施例においては、２個）の係止爪用弾性片ｅ２”が形成されている。以下、端部側係止爪用弾性片ｅ２’間に形成された係止爪用弾性片ｅ２”を、中央側係止爪用弾性片ｅ２”という。
【００４０】
また、板状本体ｅ１の相対する側面のうちのもう一方の側面（中仕切り固定部材Ｅが、容器本体Ｃ１内に収容された際に、容器本体Ｃ１の中央部側に位置する側面で、以下に、内側側面という。）ｅ１ｂには、内側側面ｅ１ｂから突設する押圧爪ｅ３ａが下方に形成された押圧用弾性片ｅ３’が形成されている。以下、押圧爪ｅ３ａが下方に形成された押圧用弾性片ｅ３’を、下方押圧用弾性片ｅ３’という。更に、板状本体ｅ１の内側側面ｅ１ｂには、内側側面ｅ１ｂから突設する押圧爪ｅ３ａが上方に形成された押圧用弾性片ｅ３”が形成されている。以下、押圧爪ｅ３ａが上方に形成された押圧用弾性片ｅ３”を、上方押圧用弾性片ｅ３”という。本実施例においては、下方押圧用弾性片ｅ３’は、それぞれ、端部側係止爪用弾性片ｅ２’付近と板状本体ｅ１の中央部付近にそれぞれ、２個、合計４個形成されており、また、上方押圧用弾性片ｅ３”は、下方押圧用弾性片ｅ３’間に１個ずつ、即ち、合計３個が形成されている例が示されているが、下方押圧用弾性片ｅ３’と上方押圧用弾性片ｅ３”の個数は、その個数が、大きく偏らないように形成されている。
【００４１】
上述した端部側係止爪用弾性片ｅ２’及び中央側係止爪用弾性片ｅ２”は、板状本体ｅ１の内側側面ｅ１ｂ側に方形状の凹部ｅ４を形成することにより、この部分の板状本体ｅ１を薄肉とし、この薄肉とした部分に、Ｕ字状のスリットｅ２ｂを形成することにより形成されている。
【００４２】
下方押圧用弾性片ｅ３’は、板状本体ｅ１の外側側面ｅ１ａ側に方形状の凹部ｅ５を形成することにより、この部分の板状本体ｅ１を薄肉とし、この薄肉とした部分に、Ｕ字状のスリットｅ３ｂ’を形成することにより形成されており、また、上方押圧用弾性片ｅ３”は、同様に、板状本体ｅ１の外側側面ｅ１ａ側に方形状の凹部ｅ５を形成することにより、この部分の板状本体ｅ１を薄肉とし、この薄肉とした部分に、逆Ｕ字状のスリットｅ３ｂ”を形成することにより形成されている。
【００４３】
次に、図１６〜図１９を用いて、容器本体Ｃ１への中仕切り部材Ｐ、スペーサーＳ及び中仕切り固定部材Ｅの収容について説明する。
【００４４】
先ず最初に、スペーサーＳの側壁側側面ｓ１ａ”が、容器本体Ｃ１のもう一方の側壁１ｃの内壁面１ｃ１側に位置するように、スペーサーＳを、容器本体Ｃ１の上方に配置する。その後、スペーサーＳを下降させることにより、スペーサーＳの板状本体ｓ１の相対する垂直端ｓ１ｃを、容器本体Ｃ１の端部中仕切り保持部材１ｄ１の一対の縦リブ１ｅ１間に形成された板状本体挿入縦長溝１ｅ２に挿入するとともに、容器本体Ｃ１の中間中仕切り保持部材１ｄ２の板状本体１ｄ２’を、スペーサーＳの板状本体ｓ１に形成されたスリットｓ１ｇに挿入する。このようにして、容器本体Ｃ１に、スペーサーＳが収容されることになるが、スペーサーＳが、容器本体Ｃ１に収容された際には、スペーサーＳに形成された水平載置フランジｓ１ｅが、端部中仕切り保持部材１ｄ１の上面に載置されるように構成されている。更に、スペーサーＳが、容器本体Ｃ１に収容された際には、スペーサーＳに形成された容器本体側壁当接リブｓ１ｈが、容器本体Ｃ１のもう一方の側壁１ｃの内壁面１ｃ１に当接し、スペーサーＳのもう一方の側壁１ｃの内壁面１ｃ１方向への移動や傾動を抑制して、スペーサーＳの板状本体ｓ１の内側側面ｓ１ａ’が、略垂直になるように構成されているので、スペーサーＳに次いで、容器本体Ｃ１に収容される中仕切り部材Ｐを、略略垂直に、容器本体Ｃ１に収容することができる。
【００４５】
上述したようにして、容器本体Ｃ１に収容されたスペーサーＳに次いで、中仕切り部材Ｐが、容器本体Ｃ１に収容されることになるが、中仕切り部材Ｐを、容器本体Ｃ１に収容する際には、中仕切り部材Ｐの板状本体ｐ１の中間区画部材ｐ３等が形成されている垂直背面ｐ１ｂが、スペーサーＳの板状本体ｓ１の面一な内側側面ｓ１ａ’側に位置するように、中仕切り部材Ｐを、容器本体Ｃ１の上方に配置する。その後、中仕切り部材Ｐを下降させることにより、上述したスペーサーＳと同様に、中仕切り部材Ｐを構成する板状本体ｐ１の垂直端ｐ１ｃ及び板状本体ｐ１が、容器本体Ｃ１に形成された中仕切り収容部１ｆの板状本体挿入縦長溝１ｆ２に挿入されるとともに、中仕切り部材Ｐの端部区画部材ｐ２及び中間区画部材ｐ３が、中仕切り挿入縦長凹部１ｆ３に挿入されることになる。また、中仕切り部材Ｐが、容器本体Ｃ１に収容された際には、中仕切り部材Ｐの水平載置フランジｐ１ｅが、端部中仕切り保持部材１ｄ１の上面に載置されるように構成されている。このようにして、順次、中仕切り部材Ｐが、容器本体Ｃ１に収容されるように構成されている。
【００４６】
上述したようにして、容器本体Ｃ１に、スペーサーＳ及び複数の中仕切り部材Ｐが収容されることになるが、容器本体Ｃ１のもう一方の側壁１ｃに隣接した最終の中仕切り部材Ｐが、容器本体Ｃ１に収容された際には、最終の中仕切り部材Ｐの板状本体ｐ１の面一な垂直平面ｐ１ａが、容器本体Ｃ１の底部１ａから上方に向かって、徐々に、その厚みを増すように構成された最終縦リブ１ｆ１の面１ｆ１’に当接或いは近接して位置するように構成されている。このように構成することにより、最終の中仕切り部材Ｐ及び該最終の中仕切り部材ＰとスペーサーＳ間に配置された中仕切り部材Ｐを、容器本体Ｃ１に、略垂直に収容することができる。
【００４７】
上述したようにして、容器本体Ｃ１に、スペーサーＳ及び中仕切り部材Ｐを収容した際には、スペーサーＳの水平載置フランジｓ１ｅ及び中仕切り部材Ｐの水平載置フランジｐ１ｅが、容器本体Ｃ１の端部中仕切り保持部材１ｄ１上面に載置されることになるが、スペーサーＳの水平載置フランジｓ１ｅ及び中仕切り部材Ｐの水平載置フランジｐ１ｅが、容器本体Ｃ１の端部中仕切り保持部材１ｄ１に載置された際には、スペーサーＳ、中仕切り部材Ｐ及び容器本体Ｃ１の相対する一方の側壁１ｂの内壁面１ｂ１との間には、上述した中仕切り固定部材Ｅが挿入される中仕切り固定部材挿入空間Ａ１が形成されるように構成されている。
【００４８】
上述した中仕切り固定部材挿入空間Ａ１の上方に、端部側係止爪用弾性片ｅ２’及び中央側係止爪用弾性片ｅ２”の係止爪ｅ２ａが、容器本体Ｃ１の一方の側壁１ｂの内壁面１ｂ１側に位置するように、中仕切り固定部材Ｅを配置し、その後、中仕切り固定部材Ｅを下降させることにより、中仕切り固定部材Ｅを、中仕切り固定部材挿入空間Ａ１に挿入する。中仕切り固定部材Ｅが、中仕切り固定部材挿入空間Ａ１に挿入された際には、中仕切り固定部材Ｅに形成された端部側係止爪用弾性片ｅ２’及び中央側係止爪用弾性片ｅ２”の係止爪ｅ２ａが、容器本体Ｃ１の一方の側壁１ｂの上端部に形成された透孔１ｇに嵌合し、中仕切り固定部材Ｅが、容器本体Ｃ１に係止されるように構成されている。
【００４９】
上述したように、容器本体Ｃ１に、スペーサーＳ及び中仕切り部材Ｐを収容し、その後、スペーサーＳと中仕切り部材Ｐと容器本体Ｃ１との間に形成された中仕切り固定部材挿入空間Ａ１に中仕切り固定部材Ｅを挿入することにより、中仕切り容器Ｃが組み立てられているので、中仕切り固定部材Ｅの中仕切り固定部材挿入空間Ａ１への挿入だけで、容器本体Ｃ１に収容されたスペーサーＳと中仕切り部材Ｐの容器本体Ｃ１からの抜け出しを防止することができる。このように、容器本体Ｃ１に収容されたスペーサーＳと中仕切り部材Ｐの容器本体Ｃ１からの抜け出し防止を、中仕切り固定部材Ｅの中仕切り固定部材挿入空間Ａ１への挿入だけで、簡単に、且つ、迅速に行なうことができる。
【００５０】
また、容器本体Ｃ１に、スペーサーＳ及び中仕切り部材Ｐを収容し、その後、スペーサーＳと中仕切り部材Ｐと容器本体Ｃ１との間に形成された中仕切り固定部材挿入空間Ａ１に中仕切り固定部材Ｅを挿入することにより、中仕切り容器Ｃが組み立てられているので、予め、中仕切り部材を連結させた後に、容器本体に、連結された中仕切り部材を、まとめて収容するようにした従来の従来の中仕切り容器に較べて、中仕切り容器Ｃの組み立て作業の作業性が向上する。
【００５１】
また、スペーサーＳと中仕切り部材Ｐと容器本体Ｃ１の相対する一方の側壁１ｂの内壁面１ｂ１との間に形成された中仕切り固定部材挿入空間Ａ１に挿入された中仕切り固定部材Ｅに形成された下方押圧用弾性片ｅ３’及び上方押圧用弾性片ｅ３”が、容器本体Ｃ１に収容された中仕切り部材Ｐを、下方押圧用弾性片ｅ３’及び上方押圧用弾性片ｅ３”の互いに容器本体Ｃ１の内側方向に向かう弾性力により、中仕切り部材Ｐを挟むように把持するように構成したので、容器本体Ｃ１に収容された中仕切り部材Ｐの移動を抑制することができるとともに、下方押圧用弾性片ｅ３’及び上方押圧用弾性片ｅ３”により、中仕切り部材Ｐの上下方向の移動を抑制することができる。
【００５２】
図１９に示されているように、スペーサーＳの面一な垂直平面に形成された内側側面ｓ１ａ’と、該内側側面ｓ１ａ’と相対する中仕切り部材Ｐの端部区画部材ｐ２及び中間区画部材ｐ３とにより、物品Ｖが挿入される中仕切り容器Ｃの端部物品収容空間Ａ２が形成されており、また、互いに対向する中仕切り部材Ｐ間には、物品Ｖが挿入される中仕切り容器Ｃの中間物品収容空間Ａ３が形成されている。
【符号の説明】
【００５３】
Ｃ・・・・・・・・・・・・・中仕切り容器
Ｃ１・・・・・・・・・・・・容器本体
１ｃ・・・・・・・・・・・・側壁
１ｄ・・・・・・・・・・・・中仕切り保持部材
１ｅ・・・・・・・・・・・・スペーサー収容部
１ｆ・・・・・・・・・・・・中仕切り収容部
Ｓ・・・・・・・・・・・・・スペーサー
Ｐ・・・・・・・・・・・・・中仕切り部材
Ｅ・・・・・・・・・・・・・中仕切り固定部材
【図１】
0005778571.tif 000002
【図２】
0005778571.tif 000003
【図３】
0005778571.tif 000004
【図４】
0005778571.tif 000005
【図５】
0005778571.tif 000006
【図６】
0005778571.tif 000007
【図７】
0005778571.tif 000008
【図８】
0005778571.tif 000009
【図９】
0005778571.tif 000010
【図１０】
0005778571.tif 000011
【図１１】
0005778571.tif 000012
【図１２】
0005778571.tif 000013
【図１３】
0005778571.tif 000014
【図１４】
0005778571.tif 000015
【図１５】
0005778571.tif 000016
【図１６】
0005778571.tif 000017
【図１７】
0005778571.tif 000018
【図１８】
0005778571.tif 000019
【図１９】
0005778571.tif 000020